【手続補正書】
【提出日】平成17年3月4日(2005.3.4)
【手続補正１】
【補正対象書類名】明細書
【補正対象項目名】全文
【補正方法】変更
【補正の内容】
【書類名】  明細書
【発明の名称】  携帯用工具
【特許請求の範囲】
【請求項１】
互いに組み合わされる２つのハウジングからなり、胴体部と、該胴体部から延びるハンドル部と、該ハンドル部の反胴体部側に設けられるバッテリー受け部と、を有するハウジング組体と、
該胴体部に収容されるモーターと、
該ハンドル部の該胴体部側に収容されるスイッチと、
該バッテリー受け部に取り付けられるバッテリーと、
を備えた携帯用工具において、
該バッテリー受け部にビットを収容するためのビット収納部が設けられ、該ビット収納部は、該モーターの回転軸に対して垂直方向に延びてビットが挿入される貫通穴と、弾性を有する２つの平板部と、各々の該平板部に突設されて該ビットを係止可能な２つのストッパ部と、を有することを特徴とする携帯用工具。
【請求項２】
該ビットは２つの首部を有し、該２つのストッパ部は該２つの首部の間隔に合わせて設けられ、該２つのストッパ部が該２つの首部のそれぞれを係止することを特徴とする請求項１記載の携帯用工具。
【請求項３】
該２つのハウジングは互いに複数のネジで固定され、該ネジの一つは該ビット収納部に隣接する位置に配されることを特徴とする請求項１記載の携帯用工具。
【請求項４】
胴体部と、該胴体部から延びるハンドル部と、を有するハウジング組体と、
該胴体部に収容されるモーターと、
該ハンドル部の該胴体部側に収容されるスイッチと、
を備えた携帯用工具において、
該モーターの回転軸に対して垂直方向に延びてビットが挿入される貫通穴と、弾性を有する平板部と、該平板部に突設されて該ビットを係止可能なストッパ部とを有するビット収納部を設けたことを特徴とする携帯用工具。
【発明の詳細な説明】
【０００１】
【発明の属する技術分野】
本発明は、携帯用工具のビット装着構造に関するものである。
【０００２】
【従来の技術】
上記ビットはネジ締め作業で先端を破損させ易いためビット交換を行う必要があるが、脚立上や足場上の高所作業でいちいち地上に置いてあるビットに交換するのは煩わしく、ポケット等に交換用ビットを携帯するのはネジ等に紛れて紛失の可能性が高いため、交換用ビットは携帯用工具本体に収納できることが望ましい。
【０００３】
そこで、特許文献１に開示されている考案には、ビット軸の周方向及び半径方向における揺動を抑制する手段と、ビットに凹設された首部に係止するストッパを有することでビット軸の軸方向の揺動を弾性係止する手段とを有する電動工具のビット装着構造の一例がある。加えて特許文献１は、スペース効率を稼ぐために、ビット装着部をフック片に設ける構成となっている。
【特許文献１】
特開２００２−２５４３５８号
【０００４】
【発明が解決しようとする課題】
特許文献１のビット装着構造は、図３に示した首部２８を二つ有する両頭ビット２７を装着する場合は良いが、首部２０を一つしか有さない片頭ビット１７を装着する場合には装着向きが一つの向きに限定される。又、片方向よりビットをビット収納部に挿入可能であるが反対方向からビットを挿入できない。更に、フックが不必要な作業者にとってはフックに設けられたビット収納部は邪魔であり電動工具本体が大型化し操作性が低下するいった問題点があった。
【０００５】
本発明の目的は、上記問題点を解決し、多種類のビットを簡単にしかも安全に装着できると共に、コンパクトで操作性の良い電動工具を提供することである。
【０００６】
【課題を解決するための手段】
【０００７】
請求項１記載の発明は、互いに組み合わされる２つのハウジングからなり、胴体部と、該胴体部から延びるハンドル部と、該ハンドル部の反胴体部側に設けられるバッテリー受け部と、を有するハウジング組体と、該胴体部に収容されるモーターと、該ハンドル部の該胴体部側に収容されるスイッチと、該バッテリー受け部に取り付けられるバッテリーと、を備えた携帯用工具において、該バッテリー受け部にビットを収容するためのビット収納部が設けられ、該ビット収納部は、該モーターの回転軸に対して垂直方向に延びてビットが挿入される貫通穴と、弾性を有する２つの平板部と、各々の該平板部に突設されて該ビットを係止可能な２つのストッパ部と、を有することを特徴とする。
【０００８】
請求項２記載の発明は、該ビットは２つの首部を有し、該２つのストッパ部は該２つの首部の間隔に合わせて設けられ、該２つのストッパ部が該２つの首部のそれぞれを係止することを特徴とする。
【０００９】
請求項２記載の発明は、該２つのハウジングは互いに複数のネジで固定され、該ネジの一つは該ビット収納部に隣接する位置に配されることを特徴とする。
【００１０】
請求項３記載の発明は、胴体部と、該胴体部から延びるハンドル部と、を有するハウジング組体と、該胴体部に収容されるモーターと、該ハンドル部の該胴体部側に収容されるスイッチと、を備えた携帯用工具において、該モーターの回転軸に対して垂直方向に延びてビットが挿入される貫通穴と、弾性を有する平板部と、該平板部に突設されて該ビットを係止可能なストッパ部とを有するビット収納部を設けたことを特徴とする。
【００１１】
【発明の実施の形態】
以下、本発明の実施の形態について図１乃至図４を参照しながら説明する。
【００１２】
図２は、本発明のビット装着構造を適用したインパクトドライバの全体説明図である。インパクトドライバ１は、ハウジング組体２及びハンマケース３内に、モータ５と、モータ５により回転する遊星ギヤ部６と、遊星ギヤ部６にスピンドル７を介在して連結されるハンマ８と、ハンマ８により回転打撃されるアンビル４を有する。ハウジング組体２は、ハウジング２ａとハウジング２ｂがネジ止めされてなる。ハウジング組体２には胴体部９と該胴体部９の下方に延設されたハンドル１０が形成されており、胴体部９後方に風窓１１が、ハンドル１０上半部内にはスイッチ１２が、下半部内にはバッテリー受け部１３とバッテリー１４の一部が夫々配設される。このようにインパクトドライバ１は内部に隙間がないから、ビット収納部１５及びネジ１６は突出していても操作性上問題の無いバッテリー受け部１３とハンドル１０のコーナー部に設けられる。
【００１３】
図１はビット収納部１５を備えるインパクトドライバ１の部分説明図である。図１に示すように、ネジ１６は全長が片頭ビット１７の全長よりも短いためビット収納部１５の外側（図１においてはビット収納部１５の左下側）に隣接される。これにより幅１８を小さくできバッテリー受け１３がコンパクトになる。バッテリー受け部１３にはビット収納部１５が埋設され、該ビット収納部１５に片頭ビット１７が略完全に収納される。１９は片頭ビット１７が嵌合可能でハウジング２ａ，２ｂをモーター５軸と垂直方向に貫通する貫通穴である。ハウジング２ａ，２ｂの強度が充分であれば貫通穴１９の一部を切り欠く構成でも良い。なお、モーター５軸と平行に貫通穴１９を設けると、大型のバッテリーを着脱可能なバッテリー受け部１３でなければ片頭ビット１７の全長を埋設しきれなくなるので、このような構成としている。
【００１４】
２０は片頭ビット１７に凹設された首部、２１は弾性の平板２２から突設され首部２０を弾性係止可能なストッパ、２３はビット収納部１５の一部両側壁が切り欠かれた切り欠き、２４は片頭ビット１７の頭部、２５は片頭ビット１７の後部である。
【００１５】
図３（図２のＡ‐Ａ線相当断面図）に示すように、片頭ビット１７を装着する際は、ストッパ２１が複数設けられているため片頭ビット１７の頭部２４もしくは後部２５のどちらからでも片頭ビット１７軸方向に片頭ビット１７端部を指で押して摺動させれば、貫通穴１９に嵌合すると共に、片頭ビット１７の首部２０にストッパ２１が弾性係止し、片頭ビット１７がビット収納部１５に組み付けられる。
【００１６】
片頭ビット１７が貫通穴１９に嵌合状態に保持され、片頭ビット１７は片頭ビット１７の周方向と半径方向の揺動が防止される。加えて、首部２０にストッパ２１が弾性係止され片頭ビット１７の軸方向の揺動が防止されるため、合わせて安定性が良い。
【００１７】
また、片頭ビット１７が、バッテリー受け部１３に略埋設されており、図４に示すように、片頭ビット１７がハンドル１０を把握する小指２６に当たって小指２６を傷付けてしまう危険性が無く、安全性に優れている。
【００１８】
次に、図３に示すように片頭ビット１７を引き出す時は、ビット収納部１５の切り欠き２３のいずれかから指を差し込み片頭ビット１７の端部をビット軸方向に摺動させれば、ストッパ２１もしくは平板２２が片頭ビット１７によって押圧され平板２２がわん曲しストッパ２１による係止が解かれるので、片頭ビット１７端部をビット収納部１５から側方へ突出させることができる。その端部を指で挟んで引き出せば、片頭ビット１７がビット収納部１５から引き出される。
【００１９】
貫通穴１９はバッテリー受け部１３に貫通しているため作業者の利き腕に合わせ着脱し易い方向に片頭ビット１７の抜き差しが可能である。
【００２０】
また、複数のストッパ２１を両頭ビット２７の首部２８の幅に合わせた位置に配設することで両頭ビット２７も装着できる。このように、ビットが略嵌合する貫通穴形状のビット収納部を設けることで、二方向からビットを着脱でき操作性が良い。
【００２１】
更に、ビット首部に弾性係止するストッパにより軸方向の揺動を防ぐと共に簡単に着脱でき、しかも、ストッパを複数設けることで首部を一つしか持たない片頭ビットの頭部と後部のどちらからでも挿入可能であり簡便な操作性を提供できる。
【００２２】
加えて、ハンドル下部にバッテリー着脱可能なバッテリー受け部を一体に備える電動工具において、ハンドルとバッテリー受け部のコーナーにモーター枢軸と垂直方向でビット収納部を有することでコンパクトな電動工具になり、更に加えて、ビットがバッテリー受け部に略埋設されて収納できる構成とすることで、ビットがハンドルを把握する小指に当たって小指を傷付けてしまう危険性が無く安全性に優れている。
【００２３】
最後に、以上説明したビット着脱の構成は、コストと組付け手間が掛からない樹脂一体成形の係止手段を用いているため、例示したインパクトドライバに限らず、ビットを使用する丸のこ、スクリュードライバー、ドライバードリル、圧縮空気で駆動されるエアツールのドライバー等の携帯用工具に幅広く適用できる。
【図面の簡単な説明】
【図１】本発明ビット装着部の一実施形態を備えたコードレスインパクトドライバを示す、要部拡大分解斜視図。
【図２】本発明ビット装着部の一実施形態を備えたコードレスインパクトドライバを示す、全体正面図及び、右側面図。
【図３】本発明ビット装着部の一実施形態を備えたコードレスインパクトドライバを示す、図２Ａ−Ａ線相当断面図及び、両頭ビット。
【図４】本発明ビット装着部の一実施形態を備えたコードレスインパクトドライバの把握状態を示す、要部拡大斜視図。
【符号の説明】
２ａ，２ｂはハウジング、５はモーター、１０はハンドル、１３はバッテリー受け部、１５はビット収納部、１６はネジ、１７は片頭ビット、１９は貫通穴、２１はストッパ、２２は平板である。